(57)【要約】  本発明は、遅延波発生環境下においても、高い精度で周波数偏差を推定することができる受信機を提供することを目的とする。そして、本発明の受信機において、信号切替部（２）は、先行波／遅延波タイミング推定部（３）からのタイミング情報に基づき、先行波受信信号（Ｓ５）及び遅延波受信信号（Ｓ６）を抽出する。そして、先行波受信信号（Ｓ５）及び遅延波受信信号（Ｓ６）を評価対象として、第１〜第ｎの周波数補正部（４１〜４ｎ）、第１〜第ｎの先行波用尤度値生成部（５１〜５ｎ）、第１〜第ｎの遅延波用尤度値生成部（６１〜６ｎ）及び第１〜第ｎの尤度処理部（７１〜７ｎ）による処理を経て、第１〜第ｎの尤度代表値（Ｄ７１〜Ｄ７ｎ）を決定している。
2019234875.tif 000002
【特許請求の範囲】
【請求項１】
アナログ受信信号を受信してディジタル受信信号に変換する標本化部（１）と、
前記ディジタル受信信号に基づき、先行波及び遅延波のタイミング推定を行い、先行波及び遅延波用のタイミング情報を出力する先行波／遅延波タイミング推定部（３）と
前記タイミング情報に基づき、前記ディジタル受信信号から先行波受信信号と遅延波受信信号とを抽出する信号切替部（２）と、
前記先行波受信信号及び前記遅延波受信信号に対し、第１〜第ｎ（ｎ≧２）の周波数補正値による周波数補正処理を行い、第１〜第ｎの先行波用周波数補正信号及び第１〜第ｎの遅延波用周波数補正信号を得る第１〜第ｎの周波数補正部（４１〜４ｎ）と、
前記第１〜第ｎの先行波用周波数補正信号に対し尤度値を求めて、第１〜第ｎの先行波用尤度値を得る第１〜第ｎの先行波用尤度値生成部（５１〜５ｎ）と、
前記第１〜第ｎの遅延波用周波数補正信号に対し尤度値を求めて、第１〜第ｎの遅延波用尤度値を得る第１〜第ｎの遅延波用尤度値生成部（６１〜６ｎ）と、
第１〜第ｎの先行波用尤度値及び第１〜第ｎの遅延波用尤度値を受け、第１〜第ｎの尤度代表値を決定する尤度処理を実行する第１〜第ｎの尤度処理部（７１〜７ｎ）とを備え、第ｉ（ｉ＝１〜ｎのいずれか）の尤度処理部は、第ｉの先行波用尤度値及び第ｉの遅延波用尤度値に基づき第ｉの尤度代表値を決定し、
前記第１〜第ｎの尤度代表値内で最も低い尤度代表値を判定用尤度値とし、前記第１〜第ｎの周波数補正値のうち、前記判定用尤度値に対応する周波数補正値を周波数偏差として推定する周波数偏差推定判定部（８）をさらに備える、
受信機。
【請求項２】
請求項１記載の受信機であって、
第ｉ（ｉ＝１〜ｎのいずれか）の先行波用尤度値生成部は、
第ｉの先行波用周波数補正信号に対し、伝送路推定を行い先行波用伝送路推定情報を得る伝送路推定部（２５）と、
前記先行波用伝送路推定情報に基づき、前記第ｉの先行波用周波数補正信号に対し、系列推定を行って前記第ｉの先行波用尤度値を得る系列推定部（１５）とを含み、
第ｉ（ｉ＝１〜ｎのいずれか）の遅延波用尤度値生成部は、
第ｉの遅延波用周波数補正信号に対し、伝送路推定を行い遅延波用伝送路推定情報を得る伝送路推定部（２６）と、
前記遅延波用伝送路推定情報に基づき、前記第ｉの遅延波用周波数補正信号に対し、系列推定を行って前記第ｉの遅延波用尤度値を得る系列推定部（１６）とを含む、
受信機。
【請求項３】
請求項１または請求項２記載の受信機であって、
前記第ｉの尤度処理部は、第ｉの先行波用尤度値及び第ｉの遅延波用尤度値のうち、尤度値が小さい方を前記第ｉの尤度代表値として決定する、
受信機。
【請求項４】
請求項１または請求項２記載の受信機であって、
前記第ｉの尤度処理部は、第ｉの先行波用尤度値と第ｉの遅延波用尤度値との加算値を前記第ｉの尤度代表値として決定する、
受信機。
【発明の詳細な説明】
【技術分野】
【０００１】
この発明は受信機に関するものであり、特に、受信信号を用いて周波数偏差を推定する受信機に関するものである。
【背景技術】
【０００２】
従来、最尤系列推定を用いた周波数偏差推定方式が知られている。従来の周波数偏差推定方式は、例えば、非特許文献１に開示されている。【０００３】
また、周波数偏差推定方式を採用した従来の受信機として、例えば、特許文献１に開示された受信機がある。【０００４】
従来の受信機は、受信信号を標本化し、受信信号からシンボルレートの既知系列を抽出し、抽出した既知系列に対して、周波数補正を行っている。この時、抽出した既知系列に対して、複数の異なる周波数補正値が付与される。【０００５】
続いて、複数の周波数補正値で周波数補正された後の複数の信号に対し、それぞれ伝送路推定及び系列推定が行われ、複数の信号それぞれの尤度が複数の尤度として算出される。算出された複数の尤度のうち、最も低い値を示す尤度に対応する周波数補正値が周波数偏差として推定される。
【先行技術文献】
【特許文献】
【０００６】
【特許文献１】特許第４４４０１４１号公報
【非特許文献】
【０００７】
【非特許文献１】岡ノ上和広他著「ＴＤＭＡディジタル移動通信における周波数オフセット補正機能を有するＭＬＳＥ受信機の構成」電子情報通信学会論文誌Ｂ、１９９０年、ｐ．７３６−７４４
【発明の概要】
【発明が解決しようとする課題】
【０００８】
周波数偏差推定方式を採用した従来の受信機は、受信信号から既知系列を抽出する際に、シンボルレートで抽出する構成となっている。【０００９】
このため、遅延波が発生し複数パスが到来するような遅延波発生環境では、既知系列の先行波あるいは遅延波の到来タイミングが頻繁に出現したり、消失したりする影響を受け、既知系列をナイキストタイミングで取得することが困難であった。なお、「既知系列をナイキストタイミングで取得する」とは、正確には、「既知系列を正確なナイキスト周波数でサンプリングする」ことを意味する。【００１０】
その結果、従来の受信機は、上記遅延波発生環境下では、伝送路推定精度が劣化し、その結果、尤度算出精度、周波数偏差の推定精度が低くなるという問題点があった。【００１１】
本発明では、上記のような問題点を解決し、遅延波発生環境下においても、高い精度で周波数偏差を推定することができる受信機を得ることを目的としている。
【課題を解決するための手段】
【００１２】
この発明に係る受信機は、アナログ受信信号を受信してディジタル受信信号に変換する標本化部と、前記ディジタル受信信号に基づき、先行波及び遅延波のタイミング推定を行い、先行波及び遅延波用のタイミング情報を出力する先行波／遅延波タイミング推定部と前記タイミング情報に基づき、前記ディジタル受信信号から先行波受信信号と遅延波受信信号とを抽出する信号切替部と、前記先行波受信信号及び前記遅延波受信信号に対し、第１〜第ｎの周波数補正値による周波数補正処理を行い、第１〜第ｎの先行波用周波数補正信号及び第１〜第ｎの遅延波用周波数補正信号を得る第１〜第ｎの周波数補正部と、前記第１〜第ｎの先行波用周波数補正信号に対し尤度値を求めて、第１〜第ｎの先行波用尤度値を得る第１〜第ｎの先行波用尤度値生成部と、前記第１〜第ｎの遅延波用周波数補正信号に対し尤度値を求めて、第１〜第ｎの遅延波用尤度値を得る第１〜第ｎの遅延波用尤度値生成部と、第１〜第ｎの先行波用尤度値及び第１〜第ｎの遅延波用尤度値を受け、第１〜第ｎの尤度代表値を決定する尤度処理を実行する第１〜第ｎの尤度処理部とを備え、第ｉの尤度処理部は、第ｉの先行波用尤度値及び第ｉの遅延波用尤度値に基づき第ｉの尤度代表値を決定し、前記第１〜第ｎの尤度代表値内で最も低い尤度代表値を判定用尤度値とし、前記第１〜第ｎの周波数補正値のうち、前記判定用尤度値に対応する周波数補正値を周波数偏差として推定する周波数偏差推定判定部をさらに備える。
【発明の効果】
【００１３】
請求項１記載の本願発明の受信機は、先行波受信信号及び遅延波受信信号を評価対象として、第１〜第ｎの周波数補正部、第１〜第ｎの先行波用尤度値生成部、第１〜第ｎの遅延波用尤度値生成部及び第１〜第ｎの尤度処理部による処理を経て、第１〜第ｎの尤度代表値を決定している。【００１４】
そして、請求項１記載の本願発明は、第１〜第ｎの尤度代表値のうち、最も低い尤度代表値を判定用尤度値とし、第１〜第ｎの周波数補正値のうち、上記判定用尤度値に対応する周波数補正値を周波数偏差として推定している。【００１５】
その結果、請求項１記載の本願発明は、遅延波が発生し複数パスが到来するような遅延波発生環境下においても、精度良く周波数偏差を推定することができる。【００１６】
この発明の目的、特徴、局面、および利点は、以下の詳細な説明と添付図面とによって、より明白となる。
【図面の簡単な説明】
【００１７】
【図１】２つの無線機間の通信形態を模式的に示す説明図である。
【図２】この発明における無線機の内部構成を模式的に示す説明図である。
【図３】この発明の実施の形態１の受信機の内部構成の詳細を示すブロック図である。
【図４】実施の形態１の先行波／遅延波尤度処理部の構成を模式的に示す説明図である。
【図５】実施の形態２の先行波／遅延波尤度処理部の構成を模式的に示す説明図である。
【発明を実施するための形態】
【００１８】
＜実施の形態１＞
図１は２つの無線機間の通信形態を模式的に示す説明図である。同図に示すように、無線機１００Ａ及び１００Ｂ間で通信が行われている。図１では無線機１００Ａが送信処理を行い、無線機１００Ｂが受信処理を行っている状態を示している。
【００１９】
図２は、この発明における無線機の内部構成を模式的に示す説明図である。図２で示す無線機１００は、図１で示す無線機１００Ａ及び１００Ｂそれぞれに対応する。
【００２０】
同図に示すように、無線機１００は送信機１０１及び受信機１０２を内部に有している。送信機１０１及び受信機１０２のうちの一方とアンテナ１０５とがスイッチ１０６を介して接続される。送信機１０１がアンテナ１０５と接続される場合、送信機１０１がアンテナ１０５を利用した送信処理が行え、受信機１０２がアンテナ１０５と接続される場合、受信機１０２はアンテナ１０５を利用した受信処理が行える。
【００２１】
受信機１０２は、アナログ信号を処理するアナログ処理回路１０３とディジタル信号を処理するディジタル処理回路１０４を備える。
【００２２】
ディジタル処理回路１０４が専用のハードウェアで実現される場合、例えば、単一回路や複合回路、プログラム化したプロセッサ、並列プログラム化されたプロセッサ、ＡＳＩＣ（Application Specific Integrated Circuit）、ＦＰＧＡ（Field-Programmable Gate Array）、あるいはこれらを組み合わせた回路等が考えられる。
【００２３】
また、プロセッサは、例えば、中央処理装置、処理装置、演算装置、マイクロプロセッサ、マイクロコンピュータ、ＤＳＰ（Digital Signal Processor）等により実現される。
【００２４】
また、ディジタル処理回路１０４の全部もしくは一部を、ソフトウェアに基づくプロセッサを用いたプログラム処理によって実行するようにしても良い。
【００２５】
図１で示す無線機１００Ａは、内部の送信機１０１とアンテナ１０５とをスイッチ１０６を介して接続することにより、内部の送信機１０１により、アンテナ１０５を利用した送信処理を行うことができる。
【００２６】
一方、図１で示す無線機１００Ｂは、内部の受信機１０２とアンテナ１０５とをスイッチ１０６を介して接続することにより、内部の受信機１０２により、アンテナ１０５を利用した受信処理を行うことができる。
【００２７】
無線機１００Ａから送信され、無線機１００Ｂにて受信される信号は、通常、無線機１００Ｂに直接受信される先行波Ｗ５と、無線機１００Ａと無線機１００Ｂとの間に存在する障害物などに反射して入力される遅延波Ｗ６Ａ及びＷ６Ｂとを含んでいる。すなわち、無線機１００Ａ及び１００Ｂ間の送受信信号には２種類の信号（先行波，遅延波）が存在する。
【００２８】
図１では、無線機１００Ａから送信され、無線機１００Ｂが受信する場合を説明したが、無線機１００Ｂから送信され、無線機１００Ａが受信する場合も同様である。
【００２９】
図３は、この発明の実施の形態１の受信機１０２の内部構成の詳細を示すブロック図である。図３に示すように、受信機１０２は、標本化部１、信号切替部２、先行波／遅延波タイミング推定部３、周波数補正部４１〜４ｎ（ｎ≧２）、周波数偏差尤度値生成部５１〜５ｎ及び６１〜６ｎ、先行波／遅延波尤度処理部７１〜７ｎ、及び周波数偏差推定判定部８を内部に有する。
【００３０】
なお、図３で示した受信機１０２の各構成部のうち、アナログ処理回路１０３内に標本化部１が設けられ、ディジタル処理回路１０４内に信号切替部２、先行波／遅延波タイミング推定部３、周波数補正部４１〜４ｎ、周波数偏差尤度値生成部５１〜５ｎ、周波数偏差尤度値生成部６１〜６ｎ、先行波／遅延波尤度処理部７１〜７ｎ及び周波数偏差推定判定部８が設けられる。
【００３１】
次に、この発明の実施の形態１による受信機１０２の備える各構成部の動作について説明する。
【００３２】
標本化部１は、アンテナ１０５を介して受信機１０２に入力されたアナログ受信信号Ｓ０を標本化することで、ディジタル受信信号Ｓ１に変換するＡ／Ｄ変換処理を行う。ディジタル受信信号Ｓ１は、信号切替部２と先行波／遅延波タイミング推定部３とに付与される。
【００３３】
先行波／遅延波タイミング推定部３は、ディジタル受信信号Ｓ１に基づきタイミング推定を行い、先行波タイミング及び遅延波タイミングを指示するタイミング情報を算出し、このタイミング情報を信号切替部２に出力する。例えば、先行波／遅延波タイミング推定部３は、ディジタル受信信号Ｓ１内に含まれる既知系列やシンクワード等の同期語に基づき、先行波タイミング及び遅延波タイミングを推定することにより、タイミング情報を算出することができる。
【００３４】
信号切替部２は、先行波／遅延波タイミング推定部３からのタイミング情報に基づき、ディジタル受信信号Ｓ１から先行波信号の既知系列をナイキストタイミングで取得することにより先行波受信信号Ｓ５を抽出し、ディジタル受信信号Ｓ１から遅延波信号の既知系列をナイキストタイミングで取得することにより遅延波受信信号Ｓ６を抽出する。
【００３５】
なお、上記タイミング情報が指示する遅延波タイミングは、先行波タイミングを基準として、先行波タイミングより遅れたタイミングで、ディジタル受信信号Ｓ１内の既知系列がナイキストタイミングで取得されるように設定される。また、抽出される遅延波受信信号Ｓ６として、例えば、最も到来タイミングの遅い遅延波受信信号や、複数の遅延波受信信号の内、最も電力の高い遅延波受信信号が考えられる。
【００３６】
信号切替部２によって抽出された先行波受信信号Ｓ５及び遅延波受信信号Ｓ６は周波数補正部４１〜４ｎそれぞれに付与される。
【００３７】
周波数補正部４１〜４ｎは先行波受信信号Ｓ５及び遅延波受信信号Ｓ６に対し、第１〜第ｎの周波数補正値を用いた周波数補正処理を行い第１〜第ｎの先行波用周波数補正信号及び第１〜第ｎの遅延波用周波数補正信号を出力する。第１〜第ｎの周波数補正値の内容は互いに異なっている。
【００３８】
各周波数補正部４ｉ（ｉ＝１〜ｎのいずれか）は、先行波受信信号Ｓ５及び遅延波受信信号Ｓ６信号それぞれに対し、第ｉの周波数補正値を加える周波数補正処理を行い、第ｉの先行波用周波数補正信号及び第ｉの遅延波用周波数補正信号を出力する。すなわち、周波数補正部４ｉによる先行波受信信号Ｓ５及び遅延波受信信号Ｓ６信号に対する周波数補正処理は同じ第ｉの周波数補正値を用いて行われる。なお、本明細書中において、「ｎ」は２以上の整数を意味し、「ｉ」は１以上ｎ以下を満足する任意の整数を意味する。
【００３９】
周波数補正部４１〜４ｎから出力される第１〜第ｎの先行波用周波数補正信号は周波数偏差尤度値生成部５１〜５ｎに付与される。周波数偏差尤度値生成部５１〜５ｎは第１〜第ｎの先行波用尤度値生成部として機能する。
【００４０】
周波数補正部４１〜４ｎから出力される第１〜第ｎの遅延波用周波数補正信号は周波数偏差尤度値生成部６１〜６ｎに付与される。周波数偏差尤度値生成部６１〜６ｎは第１〜第ｎの遅延波用尤度値生成部として機能する。
【００４１】
第ｉ（ｉ＝１〜ｎのいずれか）の先行波用尤度値生成部である周波数偏差尤度値生成部５ｉは、系列推定部１５と伝送路推定部２５を内部に有する。伝送路推定部２５は第ｉの先行波用周波数補正信号の伝送路推定を行い伝送路推定情報を得る。この伝送路推定情報が先行波用伝送路推定情報となる。
【００４２】
系列推定部１５は、伝送路推定部２５より受ける伝送路推定情報と第ｉの先行波用周波数補正信号とに基づき、第ｉの先行波用周波数補正信号の系列推定を行う。系列推定部１５による系列推定の実行により、第ｉの先行波用周波数補正信号の尤度が先行波尤度値Ｄ５ｉとして算出される。この先行波尤度値Ｄ５ｉが第ｉの先行波尤度値となる。
【００４３】
第ｉ（ｉ＝１〜ｎのいずれか）の遅延波用尤度値生成部である周波数偏差尤度値生成部６ｉは、系列推定部１６と伝送路推定部２６を内部に有する。伝送路推定部２６は第ｉの遅延波用周波数補正信号の伝送路推定を行って伝送路推定情報を得る。この伝送路推定情報が遅延波用伝送路推定情報となる。
【００４４】
系列推定部１６は、伝送路推定部２６より受ける伝送路推定情報と第ｉの遅延波用周波数補正信号とに基づき、第ｉの遅延波用周波数補正信号の系列推定を行う。系列推定部１６による系列推定の実行により、第ｉの遅延波用周波数補正信号の尤度が第ｉの遅延波尤度値Ｄ６ｉとして算出される。この遅延波尤度値Ｄ６ｉが第ｉの遅延波尤度値となる。
【００４５】
周波数偏差尤度値生成部５１〜５ｎから出力される第１〜第ｎの先行波用尤度値である先行波尤度値Ｄ５１〜Ｄ５ｎ、及び、周波数偏差尤度値生成部６１〜６ｎから出力される第１〜第ｎの遅延波用尤度値である遅延波尤度値Ｄ６１〜Ｄ６ｎが先行波／遅延波尤度処理部７１〜７ｎに付与される。
【００４６】
図４は実施の形態１の先行波／遅延波尤度処理部７ｉの構成を模式的に示す説明図である。同図に示すように、先行波／遅延波尤度処理部７ｉ（ｉ＝１〜ｎのいずれか）に第ｉの先行波用尤度値である先行波尤度値Ｄ５ｉと、第ｉの遅延波用尤度値である遅延波尤度値Ｄ６ｉとが付与される。
【００４７】
先行波／遅延波尤度処理部７ｉは、図４に示すように、尤度選択部１３を内部に有する。尤度選択部１３は、先行波尤度値Ｄ５ｉ及び遅延波尤度値Ｄ６ｉを受け、先行波尤度値Ｄ５ｉ及び遅延波尤度値Ｄ６ｉのうち低い方の尤度値を尤度選択値Ｄ１３として選択する。この尤度選択値Ｄ１３が尤度代表値Ｄ７ｉとなる。尤度選択部１３が選択した尤度代表値Ｄ７ｉが次段の周波数偏差推定判定部８に出力される。
【００４８】
周波数偏差推定判定部８では、先行波／遅延波尤度処理部７１〜７ｎから出力された尤度代表値Ｄ７１〜Ｄ７ｎを受け、尤度代表値Ｄ７１〜Ｄ７ｎのうち、最も低い尤度値を判定用尤度値として選択する。
【００４９】
そして、周波数偏差推定判定部８は、第１〜第ｎの周波数補正値のうち、判定用尤度値に対応する周波数補正値を周波数偏差として判定する。
【００５０】
例えば、判定用尤度値が先行波尤度値Ｄ５ｋ（ｋ＝１〜ｎのうちの一つ）であった場合、第ｋの先行波用周波数補正信号及び第ｋの遅延波用周波数補正信号を出力した周波数補正部４ｋが採用した第ｋの周波数補正値が周波数偏差として判定される。なお、本明細書中において、「ｋ」は１以上ｎ以下の整数のうち、一つの整数を意味する。
【００５１】
なお、周波数偏差推定判定部８は、周波数補正部４１〜４ｎが採用している第１〜第ｎの周波数補正値を認識している必要がある。したがって、周波数偏差推定判定部８は、周波数補正部４１〜４ｎから第１〜第ｎの周波数補正値の情報を取得する、図示しない内部のメモリ内に第１〜第ｎの周波数補正値の情報を格納しておく等の処理が必要となる。
【００５２】
そして、周波数偏差推定判定部８は、判定した周波数偏差を指示する周波数偏差推定情報Ｓ８を出力する。
【００５３】
以上説明したように、実施の形態１の受信機１０２は、先行波受信信号Ｓ５及び遅延波受信信号Ｓ６を評価対象として、周波数補正部４１〜４ｎ、周波数偏差尤度値生成部５１〜５ｎ、周波数偏差尤度値生成部６１〜６ｎ、及び先行波／遅延波尤度処理部７１〜７ｎによる処理を経て、第１〜第ｎの尤度代表値である尤度代表値Ｄ７１〜Ｄ７ｎを決定している。
【００５４】
そして、実施の形態１の受信機１０２の周波数偏差推定判定部８は、尤度代表値Ｄ７１〜Ｄ７ｎ内で最も低い尤度代表値を判定用尤度値とし、周波数補正部４１〜４ｎが用いた第１〜第ｎの周波数補正値のうち、上記判定用尤度値に対応する周波数補正値を周波数偏差として推定している。
【００５５】
その結果、実施の形態１の受信機１０２は、遅延波が発生し複数パスが到来するような遅延波発生環境下においても、精度良く周波数偏差を推定することができる。
【００５６】
さらに、実施の形態１の受信機１０２において、周波数偏差尤度値生成部５１〜５ｎはそれぞれ内部に系列推定部１５及び伝送路推定部２５を有することにより先行波尤度値Ｄ５１〜Ｄ５ｎの精度を高めることができ、周波数偏差尤度値生成部６１〜６ｎはそれぞれ内部に系列推定部１６及び伝送路推定部２６を有することにより、遅延波尤度値Ｄ６１〜Ｄ６ｎの精度を高めることができる。
【００５７】
加えて、実施の形態１の先行波／遅延波尤度処理部７ｉは、先行波尤度値Ｄ５ｉ及び遅延波尤度値Ｄ６ｉのうち、尤度値が小さい方を尤度代表値Ｄ７ｉとして決定しているため、尤度代表値Ｄ７ｉの精度を高めることができる。
【００５８】
以上説明したように、実施の形態１の受信機１０２は、先行波受信信号Ｓ５における先行波尤度値Ｄ５１〜Ｄ５ｎと遅延波受信信号Ｓ６における遅延波尤度値Ｄ６１〜Ｄ６ｎとに基づき、先行波／遅延波尤度処理部７１〜７ｎにより尤度代表値Ｄ７１〜Ｄ７ｎを得ている。
【００５９】
すなわち、実施の形態１の受信機１０２は、先行波及び遅延波の双方がナイキストタイミングとなるよう既知系列を用いて抽出された先行波受信信号Ｓ５及び遅延波受信信号Ｓ６を、周波数偏差を推定するための標本信号としている。
【００６０】
したがって、実施の形態１の受信機１０２は、既知系列の到来タイミングが瞬時的に変化した場合でも、タイミング推定精度の劣化に伴う周波数偏差の推定精度の低下を防ぐことができ、従来の周波数偏差推定方式と比較して周波数偏差の推定精度を高くする効果を奏する。
【００６１】
＜実施の形態２＞
図５は実施の形態２である受信機１０２における先行波／遅延波尤度処理部７ｉの構成を模式的に示す説明図である。同図に示すように、先行波／遅延波尤度処理部７ｉ（ｉ＝１〜ｎのいずれか）に第ｉの先行波用尤度値ある先行波尤度値Ｄ５ｉと、第ｉの遅延波用尤度値である遅延波尤度値Ｄ６ｉとが付与される。なお、先行波／遅延波尤度処理部７ｉの内部構成以外は、図１〜図３で示した実施の形態１の受信機１０２と同じである。以下、図５を参照して、実施の形態２の特徴を中心に説明する。
【００６２】
実施の形態２の先行波／遅延波尤度処理部７ｉは、図５に示すように、尤度加算部１４を内部に有する。尤度加算部１４は、先行波尤度値Ｄ５ｉ及び遅延波尤度値Ｄ６ｉを受け、先行波尤度値Ｄ５ｉ及び遅延波尤度値Ｄ６を加算して得られる尤度加算値Ｄ１４を尤度代表値Ｄ７ｉとして選択する。尤度加算部１４の尤度加算値Ｄ１４である尤度代表値Ｄ７ｉが次段の周波数偏差推定判定部８に出力される。
【００６３】
周波数偏差推定判定部８は、先行波／遅延波尤度処理部７１〜７ｎから出力された尤度代表値Ｄ７１〜Ｄ７ｎのうち、最も低い尤度値を判定用尤度値として選択する。
【００６４】
そして、周波数偏差推定判定部８は、第１〜第ｎの周波数補正値のうち、判定用尤度値に対応する周波数補正値を周波数偏差として判定する。
【００６５】
そして、周波数偏差推定判定部８は、判定した周波数偏差を指示する周波数偏差推定情報Ｓ８を出力する。
【００６６】
以上説明したように、実施の形態２の受信機１０２は、実施の形態１と同様、先行波受信信号Ｓ５及び遅延波受信信号Ｓ６を評価対象として、第１〜第ｎの尤度代表値である尤度代表値Ｄ７１〜Ｄ７ｎを決定している。
【００６７】
したがって、実施の形態２の受信機１０２の周波数偏差推定判定部８は、実施の形態１と同様、遅延波発生環境下においても、精度良く周波数偏差を推定することができる。
【００６８】
さらに、実施の形態２の受信機１０２において、周波数偏差尤度値生成部５１〜５ｎはそれぞれ内部に系列推定部１５及び伝送路推定部２５を有することにより先行波尤度値Ｄ５１〜Ｄ５ｎの精度を高めることができ、周波数偏差尤度値生成部６１〜６ｎはそれぞれ内部に系列推定部１６及び伝送路推定部２６を有することにより、遅延波尤度値Ｄ６１〜Ｄ６ｎの精度を高めることができる。
【００６９】
加えて、実施の形態２の先行波／遅延波尤度処理部７ｉは、先行波尤度値Ｄ５ｉと遅延波尤度値Ｄ６ｉとの加算値を尤度代表値Ｄ７ｉとして決定することにより、尤度代表値Ｄ７１〜Ｄ７ｎすべてに先行波受信信号Ｓ５及び遅延波受信信号Ｓ６の尤度値を反映させることができる。
【００７０】
上述したように、実施の形態２の先行波／遅延波尤度処理部７ｉは、尤度選択部１３ではなく尤度加算部１４を備える構成とすることにより、先行波あるいは遅延波のどちらか一方の尤度値ではなく、常に先行波及び遅延波両方の尤度値を用いて周波数偏差を推定することができる。その結果、従来の周波数偏差推定方式と比較して周波数偏差の推定精度を高くする効果が得られる。
【００７１】
この発明は詳細に説明されたが、上記した説明は、すべての局面において、例示であって、この発明がそれに限定されるものではない。例示されていない無数の変形例が、この発明の範囲から外れることなく想定され得るものと解される。
【００７２】
したがって、本発明は、その発明の範囲内において、各実施の形態を自由に組み合わせたり、各実施の形態を適宜、変形、省略したりすることが可能である。
【符号の説明】
【００７３】
１  標本化部、２  信号切替部、３  先行波／遅延波タイミング推定部、４１〜４ｎ  周波数補正部、５１〜５ｎ，６１〜６ｎ  周波数偏差尤度値生成部、７１〜７ｎ  先行波／遅延波尤度処理部、８  周波数偏差推定判定部、１００，１００Ａ，１００Ｂ  無線機、１０１  送信機、１０２  受信機。
【図１】
2019234875.tif 000003
【図２】
2019234875.tif 000004
【図３】
2019234875.tif 000005
【図４】
2019234875.tif 000006
【図５】
2019234875.tif 000007
【国際調査報告】
2019234875.tif 000008
2019234875.tif 000009
2019234875.tif 000010
2019234875.tif 000011